(57)【要約】      （修正有）【課題】左右の耳栓を連結しているコードを巻き取り収納する機能を備えた防音保護具を提供する。【解決手段】防音保護具は、２つの耳栓２０Ｒ，２０Ｌと、両耳栓を互いに連結しているコード３０と、コード３０を巻き取り収納するコード収納装置４０と、を有する。コード収納装置４０には、着用者の衣服に着脱可能に取り付けるためのバチ型クリップ４４が設けられている。耳栓は、外耳道に挿入される耳栓体２１と、耳栓体２１と一体化した連結具２２と、を有する。連結具２２は、その両端部が耳栓体２１に埋設された１本の紐からなる。コード３０の両端には、耳栓を着脱可能に連結できるように、リングクリップ３１が設けられている。耳栓は、その環状部２２Ｃをリングクリップ３１に係止させることにより、コード３０に着脱自在に連結されている。【選択図】図１
0003186676.tif 000002
【実用新案登録請求の範囲】
【請求項１】
２つの耳栓と、
両耳栓を互いに連結しているコードと、
当該コードを巻き取り収納するコード収納装置と、を有し、
前記コード収納装置には、これを着用者の衣服に着脱可能に取り付けるための取付具が設けられており、
前記耳栓は、
騒音を遮音するための耳栓であり、
外耳道に挿入される耳栓体と、
前記耳栓体と一体化した連結具とを有し、
前記連結具は、
前記耳栓体の反挿入側端部から内部に延在している埋没部と、
前記耳栓体の反挿入側端部から外部に延在している露出部と、を有し、
前記露出部が、
前記コードの端部に連結されている、防音保護具。
【考案の詳細な説明】
【技術分野】
【０００１】
本考案は、耳栓を備えた防音保護具に関するものである。
【背景技術】
【０００２】
左右の外耳道に挿着される２つの耳栓をコードで連結したコード付き耳栓は公知である（特許文献１、特許文献６、特許文献７、特許文献８）。スイミングキャップ、アイマスク、保安帽、枕カバー、等、他の物品にコードを介して連結された耳栓も公知である（特許文献２、特許文献３、特許文献４、特許文献５）
【先行技術文献】
【特許文献】
【０００３】
【特許文献１】特開２００７−２３６９３６号（段落番号００１８、図１８、等）
【特許文献２】特開２００６−３４８４３２号（図１、図５、等）
【特許文献３】特開２００５−２５４０２２号（図１、図３、等）
【特許文献４】特開２００４−１８７７４５号（図１、図５、等）
【特許文献５】特開平１０−１０８７７３号（図１、図２、等）
【特許文献６】特表２００７−５０１１３０号（段落番号０００５、００１６、００２５、図３、等）
【特許文献７】特表２００５−５３７８５９号（段落番号０００４、００３５、図１４、等）
【特許文献８】実開平０５−０１３４２１号（段落番号００１１、図２、等）
【考案の概要】
【考案が解決しようとする課題】
【０００４】
上記のように、既に多種多様なコード付き耳栓が知られている。
しかし、コードを巻き取り収納する機能を備えたコード付き耳栓は知られていない。
【０００５】
本考案が解決しようとする課題は、２つの耳栓を連結しているコードを巻き取り収納する機能を備えた防音保護具を提供することにある。
【課題を解決するための手段】
【０００６】
本考案の巻き取りコード付き耳栓には、以下の構成例１乃至４に示されるものが含まれる。
【０００７】
［構成例１］
２つの耳栓と、
両耳栓を互いに連結しているコードと、
当該コードを巻き取り収納するコード収納装置と、を有し、
前記コード収納装置には、これを着用者の衣服に着脱可能に取り付けるための取付具が設けられており、
前記耳栓は、
騒音を遮音するための耳栓であり、
外耳道に挿入される耳栓体と、
前記耳栓体と一体化した連結具とを有し、
前記連結具は、
前記耳栓体の反挿入側端部から内部に延在している埋没部と、
前記耳栓体の反挿入側端部から外部に延在している露出部と、を有し、
前記露出部が、
前記コードの端部に連結されている、防音保護具。
【０００８】
構成例１において、前記コードは、蛍光物質を含有又は塗布した材料でできていることが望ましい。
【０００９】
［構成例２］
構成例１において、
前記連結具は、
少なくとも１本の紐を有し、
前記埋没部は、前記紐の少なくとも一方の端部を前記耳栓体の内部に埋没させることにより形成され、
前記露出部は、前記コードに連結された環状部を有し、
前記環状部は、前記紐が環状に湾曲した部分からなる、防音保護具。
【００１０】
構成例２において、前記埋没部は、前記紐の両端部を平行に並べた状態で耳栓体の内部に埋没させることにより形成されていることが望ましい。
構成例２において、前記埋没部は、前記紐を環状（無端状）にした状態で耳栓体の内部に埋没させることにより形成されてもよい。前記紐を環状（無端状）にする代わりに、元々環状になっている柔軟な部材の一部を耳栓体の内部に埋没させてもよい。この種の部材の例として、輪ゴムを挙げることができる。
構成例２において、前記紐の材質の例として、ナイロン、ポリエステル、ＰＥＴ、シリコンゴム、綿、麻、紙、等を挙げることができる。
構成例２において、前記紐は、蛍光物質を含有又は塗布した材料でできていることが望ましい。
【００１１】
［構成例３］
構成例１において、
前記連結具は、
少なくとも１本の紐と、
前記紐の少なくとも一方の端部と前記耳栓体とを互いに連結している連結部材と、を有し、
前記連結部材は、
前記耳栓体に固定された耳栓体側部材と、
前記紐に固定された紐側部材とからなり、
前記埋没部は、前記耳栓体側部材の少なくとも一部からなり、
前記露出部は、前記コードに連結された環状部を有し、
前記環状部は、前記紐が環状に湾曲した部分からなり、
前記紐側部材と前記耳栓体側部材とが互いに連結されている、防音保護具。
【００１２】
［構成例４］
構成例１において、
前記連結具は、
前記耳栓体に挿入した状態で固定された挿入固定部を有し、
前記埋没部は、前記挿入固定部の少なくとも一部からなり、
前記露出部は、前記コードに連結された環状部を有し、
前記環状部は、前記挿入固定部の反挿入側端部に形成されている、防音保護具。
【００１３】
構成例１乃至４において、反挿入側端部とは、前記耳栓体を外耳道に挿着したときに当該外耳道から露出する側の端部である。
構成例１乃至４において、前記耳栓体の遮音値（ＮＲＲ）は２４ｄＢ以上であることが望ましい。
構成例１乃至４において、前記耳栓体の形状の例として、円柱形、挿入側端部が凸球面状に丸くなっている略円柱形（弾丸形）、挿入側端部が凸球面状になっていて反挿入側端部の縁部が拡径している略円柱形（鐘形）、等を挙げることができる。
構成例１乃至４において、前記取付具は、着用者の衣服の一部（襟、上前立、胸ポケットの出し入れ口の縁部、等）を挟むことにより、当該衣服に取り付けることが可能な挟持具であることが望ましい。前記取付具として、安全ピンや平面ファスナーなどを利用することができる。
【考案の効果】
【００１４】
本考案によれば、２つの耳栓を備え、両耳栓を連結しているコードを備え、当該コードを巻き取り収納する機能を備え、そして、着用者の衣服の襟などに取り付けて使用することが可能な防音保護具を提供することができる。
【図面の簡単な説明】
【００１５】
【図１】本考案の防音保護具の実施形態を例示する斜視図
【図２】図１に示す防音保護具に使用されている耳栓の分解断面図
【図３】耳栓の形態例を示す断面図
【図４】耳栓の形態例を示す分解断面図
【図５】耳栓の形態例を示す分解断面図
【図６】耳栓の形態例を示す分解断面図
【図７】耳栓の形態例を示す分解断面図
【考案を実施するための形態】
【００１６】
以下、本考案を実施するための最良の形態について説明する。
【００１７】
図１は本考案の防音保護具の実施形態を例示する要部正面図である。図２は図１に示す防音保護具に使用されている耳栓の断面図である。
【００１８】
この防音保護具１は、２つの耳栓２０（Ｌ）、２０（Ｒ）と、両耳栓２０（Ｌ）、２０（Ｒ）を互いに連結しているコード３０と、コード３０を巻き取り収納するコード収納装置４０と、を有する。
【００１９】
両耳栓２０（Ｌ）、２０（Ｒ）は、構造も機能も全く同一の耳栓である。
耳栓２０は、外耳道に挿入される耳栓体２１と、耳栓体２１と一体化した連結具２２と、を有する。
耳栓体２１は、ポリウレタン、弾性発泡ポリマ又はシリコンからなる。耳栓体２１の遮音値（ＮＲＲ）は１８ｄＢ以上、好ましくは２９ｄＢ以上である。
連結具２２は、耳栓体２１の反挿入側端部２１ａから内部に延在している埋没部２２Ａと、耳栓体２１の反挿入側端部２１ａから外部に延在している露出部２２Ｂと、を有する。
露出部２２Ｂは、コード３０の端部に連結されている。
連結具２２は、１本の紐２４からなる。
コード３０及び紐２４は、蛍光物質を含有した材料でできている。蛍光物質の例として、株式会社ネモト・ルミマテリアル製の高輝度長残光製蓄光顔料（Ｎ夜光（登録商標）、ルミノーバ（登録商標））を挙げることができる。
埋没部２２Ａは、紐２４の両端部２４ａ、２４ｂを平行に並べた状態で耳栓体２１の内部に埋没させることにより形成されている。紐２４の両端部２４ａ、２４ｂは、耳栓体２１の反挿入側端部２１ａの中央部に形成された挿入穴２１ｂに挿し込むとともに接着剤で固定されている。
露出部２２Ｂは、コード３０に連結された環状部２２Ｃを有する。
環状部２２Ｃは、紐２４が環状に湾曲した部分、この例では露出部２２Ｂ全体からなる。
環状部２２Ｃの周長は、１乃至１０ｃｍである。
【００２０】
コード３０の両端には、耳栓１を着脱可能に連結できるように、弾性部材からなるリングクリップ（連結対象）３１が設けられている。耳栓１は、その環状部２２Ｃをリングクリップ３１に係止させることにより、コード３０に着脱自在に連結されている。
【００２１】
コード収納装置４０は、巻取機構４１と、巻取機構４１を収容した筐体４３と、を有する。巻取機構４１は、コード３０の中間部が巻回された巻取ドラム（図示省略）と、コード３０を巻き取る向きに巻取ドラムを回転させるべく巻取ドラムを常時付勢している付勢機構（図示省略）と、を有する。
巻取機構４１は、巻取ドラムが筐体４３に対して第１の向きに回転することによりコード３０を巻取ドラムに巻き取り、第２の向き（第１の向きの逆向き）に回転することにより、巻取ドラムからコード３０を繰り出すように構成されている。より詳細には、巻取ドラムに巻き取られているコード３０の両側を引っ張ると、付勢機構の力に抗して、巻取ドラムが筐体４３に対して第２の向きに回転し、コード３０が繰り出される。そして、コード３０が所定長（たとえば、左右に１０ｃｍずつ）繰り出される毎に、巻取機構４１内の係止機構（図示省略）により巻取ドラムが係止され、コード３０が繰り出された状態に保持される。この仕組みにより、コード３０の繰り出し長を段階的に調節することができる。再度コード３０の両側を少し引っ張ると、巻取ドラムの係止状態が解除される。そして、付勢機構の力で巻取ドラムが第１の向きに回転し、コード３０が巻き取られる。
【００２２】
コード収納装置４０には、これを着用者の衣服に着脱可能に取り付けるためのバチ型クリップ（挟持具）４４が設けられている。バチ型クリップ４４は、コード収納装置４０の筐体４３の外面に取り付けられている。
【００２３】
この防音保護具１は、コード収納装置４０に設けられているバチ型クリップ４４で着用者の衣服の襟や胸ポケットなどを挟むことにより、着用者の衣服に取り付けることができる。コード３０の両端に耳栓２０が連結されているので、耳栓２０の紛失を防止できる。耳栓２０を使用しないときには、コード３０をコード収納装置４０内に巻き取って収納しておくことができ、耳栓２０を使用する際には、コード３０の両側を引っ張ることにより、簡単にコード３０を延ばすことができるので、携帯性、使い勝手が共に優れている。
【００２４】
また、使用により耳栓２０が汚れたときには、コード３０の先端のリングクリップ３１を開くことにより、簡単に、使用済み耳栓２０を取り外して、新しい耳栓２０に交換することができる。耳栓２０の環状部２２Ｃが細い紐２４でできていることにより、リングクリップ３１との係脱（掛け外し）を容易に行うことができる。
【００２５】
また、耳栓２０の環状部２２Ｃの周長を６乃至１０ｃｍに選定しておけば、リングクリップ３１以外の連結対象との連結も容易である。たとえば、耳栓２０の環状部２２Ｃに連結対象であるコードや紐を直接結びつけることも可能である。すなわち、耳栓２０は、図１に示す防音保護具１の専用品ではない。耳栓２０をコードなどと接続せず単体で使用することも可能である。
【００２６】
耳栓２０を単体で使用する場合においても、紐２４でできた環状部２２Ｃが耳栓２０の反挿入側端部２０ａから外方に延びていることにより、その環状の部分に指を掛けたり、摘まんだりして、耳栓２０を外耳道から引き抜くことができるというメリットがある。
【００２７】
耳栓２０は、耳栓体２１の反挿入側端部２１ａの中央部に紐２４の両端部２４ａ、２４ｂを差し込むという単純な工程で製造できるので、安価に製造できる。
【００２８】
また、耳栓２０を所定個数単位で保管又は流通させる際、当該所定個数分の耳栓２０の環状部２２Ｃを紐などで結束することにより、耳栓２０を当該所定個数単位で取り扱うことができる。また、耳栓２０を数個乃至１０数個単位で取り扱う場合であれば、そのうちの１個の耳栓２０の環状部２２Ｃを結束用の紐として利用することができる。たとえば、耳栓２０を１０個単位で取り扱う場合、そのうちの１個の耳栓２０の環状部２２Ｃで残りの９個の耳栓２０の環状部２２Ｃを結束することができる。
【００２９】
また、耳栓体２１の反挿入側端部２１ａから外部に延びている紐２４が蛍光物質を含有した材料でできていることにより、工場などにおける安全衛生管理責任者は、騒音環境で作業に従事している者が耳栓２０を装着しているか否かを暗所においても容易に視認できる。また、左右の耳栓２０を連結しているコード３０が蛍光物質を含有した材料でできていることにより、防音保護具１の位置や使用状態を暗所においても容易に視認できる。
【００３０】
本考案の構成は上記実施形態の構成に限定されるものではない。
上記の例では、紐２４の両端部２４ａ、２４ｂを平行に並べた状態で耳栓体２１の内部に埋没させているが、紐２４の両端部２４ａ、２４ｂを互いに結ぶなどして、紐２４を環状（無端状）にした状態で、その一部を耳栓体２１の内部に埋没させてもよい。また、紐２４の代わりに、輪ゴムなど、元々環状（無端状）の部材を使用することも可能である。
【００３１】
図３乃至図９は、耳栓２０のその他の実施形態を例示している。
図３に例示する耳栓２０は、紐２４の一方の端部２４ａのみ耳栓体２１の内部に埋没させることにより埋没部２２Ａが形成され、他方の端部２４ｂを一方の端部２４ａの近傍に結束部材２５で固定することにより環状部２２Ｃが形成されている。紐２４の一方の端部２４ａは、耳栓体２１の反挿入側端部２１ａの中央部に差し込むとともに接着剤で固定されている。図３の耳栓２０は、図２の耳栓２０と同様の作用・効果を奏するものである。
【００３２】
図４に例示する耳栓２０は、紐２４の両端部２４ａ、２４ｂと耳栓体２１とを互いに連結している連結部材２６を有している。連結部材２６は、耳栓体２１の反挿入側端部２１ａの中央部に埋設され、埋没部２２Ａをなしている。
連結部材２６は、耳栓体２１に固定された耳栓体側部材２６Ａと、紐２０に固定された紐側部材２６Ｂとからなる。紐側部材２６Ｂには、紐２４の両端部２４ａ、２４ｂが固定されている。
耳栓体側部材２６Ａは、雌ねじ構造の部材である。耳栓体側部材２６Ａは、耳栓体２１の反挿入側端部２１ａの中央部に形成された凹部に嵌め込まれ、接着剤で固定されている。
紐側部材２６Ｂは、雄ねじ構造の部材である。予め紐２４を取り付けた紐側部材２６Ｂを耳栓体側部材２６Ａのねじ穴部２８にねじ込んで取り付けることにより、耳栓体２１の反挿入側端部２１ａに紐２４が取り付けられる。
【００３３】
図５の例に示す連結部材２６は、図４の例とは逆に、耳栓体側部材２６Ａが雄ねじ構造の部材、紐側部材２６Ｂが雌ねじ構造の部材になっている。耳栓体側部材２６Ａは、一方の端部（先端部）が尖った支柱部２７を有し、支柱部２７の他方の端部に雄ねじ部２９ａが形成されている。耳栓体側部材２６Ａは、耳栓体２１の反挿入側端部２１ａの中央部に支柱部２７を差し込み、接着剤で固定することにより、耳栓体２１に固定されている。予め紐２４を取り付けた紐側部材２６Ｂのねじ穴部２９ｂを耳栓体側部材２６Ａに螺着させることにより、耳栓体２１の反挿入側端部２１ａに紐２４が取り付けられる。
【００３４】
図６に例示する耳栓２０は、耳栓体２１に同軸状に挿入して取り付けられた連結具２２を有している。この連結具２２は、耳栓体２１に挿入された軸部５１と、軸部５１の反挿入側端部に形成された環状部５２とを有する。連結具２２の軸部５１には、抜け防止用の返し部（引っ掛り部）５４が形成されている。耳栓体２１には、軸部５１を挿入するための挿入穴５５が形成されている。挿入穴５５は、軸部５１の返し部５４が嵌合し得る形状・寸法に形成されている。連結具２２は、その軸部５１を耳栓体２１の挿入穴５５に挿入することにより、耳栓体２１と一体化している。
【００３５】
図７の例の連結具２２は、軸部５１に返し部５４が形成されている点で図６の例と同じであるが、耳栓体２１には、挿入穴５５は形成されていない。連結具２２は、その軸部５１を耳栓体２１に差し込むことにより、耳栓体２１と一体化する。
【００３６】
また、上記の実施形態では、挟持具としてバチ型クリップ４４を採用した場合を例にとり説明したが、目玉クリップなどその他の挟持具を使用することも可能である。
【符号の説明】
【００３７】
１  防音保護具
２０（Ｌ）、２０（Ｒ）  耳栓
２１  耳栓体
２１ａ  反挿入側端部
２２  連結具
２２Ａ  埋没部
２２Ｂ  露出部
２２Ｃ  環状部
２４  紐
２４ａ  一方の端部
２４ｂ  他方の端部
２５  結束部材
２６Ａ  耳栓体側部材
２６Ｂ  紐側部材
２７  支柱部
３０  コード
３１  リングクリップ（連結対象）
４０  コード収納装置
４４  バチ型クリップ（挟持具、取付具）
【図１】
0003186676.tif 000003
【図２】
0003186676.tif 000004
【図３】
0003186676.tif 000005
【図４】
0003186676.tif 000006
【図５】
0003186676.tif 000007
【図６】
0003186676.tif 000008
【図７】
0003186676.tif 000009